【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
少なくとも１つの切削部を備えた切削工具において、
前記少なくもの１つの切削部は、
その中に着脱自在に保持される切削インサート（２０）を有するインサートポケット（１８）であって、前記切削インサート（２０）が、上面（２２）、底面（２４）および前記上面と底面との間に延在する周囲面（２６）を有し、前記周囲面（２６）が２つの対向する大側部（２８）と２つの対向する小側部（３０）を備え、前記底面（２４）が複数の係合面を備え、その複数の係合面における複数の係合作用面が取り付け面（３２）と係合する、インサートポケット（１８）を備え、
前記複数の係合作用面は、
間隔が置かれた第１および第２の傾斜作用面（３４´、３６´）であって、それぞれの傾斜係合領域（８０、８２）が、切削インサート（２０）の第１中間平面（Ｍ１）との間で鋭角（α）を形成している第１の平面に存在する、
第１および第２の傾斜作用面（３４´、３６´）と、
内側傾斜作用面（３８’）であって、その個々の内側傾斜係合領域（８８）が、前記第１中間平面（Ｍ１）と鈍角（β）を形成している第２の平面に存在し、前記鋭角および鈍角（α、β）が前記第１中間平面（Ｍ１）から同じ方向に測定したものである、内側傾斜作用面（３８’）と、
第１および第２のコーナー作用面（４０´、４２´）であって、それらの個々の非傾斜コーナー係合領域（７２、７４）が、前記切削インサート（２０）の前記第１中間平面（Ｍ１）と第２の中間平面（Ｍ２）に略直角な第３平面に存在し、前記第２中間平面（Ｍ２）が前記第１中間平面（Ｍ１）と直角である、第１および第２のコーナー作用面（４０´、４２´）と、
を備え、
前記第１および第２の傾斜作用面（３４´、３６´）と前記内側傾斜作用面（３８’）は、前記第１中間平面（Ｍ１）の第１の側に位置し、前記第１および第２のコーナー作用面（４０´、４２´）は、前記第１中間平面（Ｍ１）の第２の側に位置し、
前記第１および第２の傾斜作用面（３４´、３６´）は、前記第２の中間平面（Ｍ２）の互いに反対側に位置し、前記内側傾斜作用面（３８’）は、前記第２の中間平面（Ｍ２）と交差し、
前記間隔が置かれた第１および第２の傾斜作用面（３４´、３６´）、前記内側傾斜作用面（３８’）、および前記第１および第２のコーナー作用面（４０´、４２´）は、前記インサートポケット（１８）の取り付け面（３２）と係合する、前記切削インサート上の唯一の面であることを特徴とする切削工具。
【請求項２】
前記切削インサート（２０）は前記インサートポケット（１８）の複数の壁と係合しないことを特徴とする請求項１に記載の切削工具（１０）。
【請求項３】
前記鋭角（α）は７５度以下であり、前記鈍角（β）は１０５度以上であることを特徴とする請求項１に記載の切削工具（１０）。
【請求項４】
前記切削インサート（２０）は、略矩形の輪郭と２つの切削コーナー（６４）を有し、前記切削インサート（２０）は、当該インサート（２０）に形成された中央貫通孔（５６）の貫通孔軸（Ｔ１）に関して１８０度の割り出しが可能なものであることを特徴とする請求項１に記載の切削工具（１０）。
【請求項５】
前記切削インサート（２０）は、略四角い輪郭と前記切削インサート（２０）の４つの個々のコーナーに位置する切削コーナー（６４）を有し、前記切削インサート（２０）は、当該インサート（２０）に形成された中央貫通孔（５６）の貫通孔軸（Ｔ１）に関して９０度の割り出しが可能なものであることを特徴とする請求項１に記載の切削工具（１０）。
【請求項６】
第１および第２の支持面（５０、５２）が、略平面で、間隔が置かれ、前記第２中間平面（Ｍ２）の互いに反対側に位置することを特徴とする請求項１に記載の切削工具（１０）。
【請求項７】
前記切削インサート（２０）は、中央貫通孔（５６）を備えてその中に締め付けネジ（５８）を受け入れ、前記貫通孔（５６）が貫通孔軸（Ｔ１）を有し、
前記インサートポケット（１８）は、ネジ穴（６０）を備えて、その中に締め付けネジ（５８）がねじ込まれるのを受け入れ、前記ネジ穴（６０）がネジ穴軸（Ｔ２）を有し、前記貫通孔軸（Ｔ１）および前記ネジ穴軸（Ｔ２）は、両方とも前記第１中間平面（Ｍ１）に含まれていることを特徴とする請求項１に記載の切削工具（１０）。
【請求項８】
互いに垂直な第１および第２の中間平面（Ｍ１、Ｍ２）を有する切削インサート（２０）において、
上面（２２）、底面（２４）およびこれらの面の間に延在する周囲面（２６）であって、前記周囲面（２６）が２つの対向する大側部（２８）および２つの対抗する小側部（３０）を備えた、上面（２２）、底面（２４）および周囲面（２６）を備え、
前記底面（２４）は、
前記切削インサート（２０）の前記第２中間平面（Ｍ２）の反対側に位置する２つの大凹面（６６）と、
前記底面（２４）の４つの個々のコーナーに交互に位置する、２対の第１および第２のコーナー面（４０、４２）と、
２対の第１および第２の傾斜面（３４、３６）であって、前記傾斜面（３４、３６）のそれぞれが、それぞれの大凹面（６６）からそれぞれのコーナー面（４０、４２）に向かって、下方および外方に傾斜している第１および第２の傾斜面（３４、３６）と、
前記底面（２４）の略中央の領域に位置する中央面（８６）と、
２つの内側傾斜面（３８）であって、前記第１中間平面（Ｍ１）の両側において前記底面（２４）のそれぞれ反対側に位置し、前記第１中間平面（Ｍ１）に関して前記中央面（８６）のそれぞれ反対側からそれぞれの大側部（２８）に向けて、上方および外方に傾斜し、それぞれの前記内側傾斜面（３８）は、対応する大側部（２８）に形成される側凹部（４９）内に位置する、内側傾斜面（３８）と、
を備え、
前記２対の第１および第２のコーナー面（４０、４２）、前記２対の第１および第２の傾斜面（３４、３６）、および前記２つの内側傾斜面（３８）は、共に、２組の協働係合面を構成し、それぞれの組は、前記切削インサートを着座させるための傾斜および非傾斜係合領域の両方を含み、
所定の組の傾斜係合領域は、第１中間平面（Ｍ１）の第１の側にあり、その同じ組の非傾斜係合領域は、第１中間平面（Ｍ１）の第２の側にあり、
それぞれの内側傾斜面（３８）とそれに関連する側凹部（４９）は、隣接する大側部（２８）まで延在することを特徴とする切削インサート（２０）。
【請求項９】
前記傾斜面（３４、３６）の個々の係合領域（８０、８２）は、第１中間平面（Ｍ１）と鋭角（α）を形成している第１の平面に存在し、
前記内側傾斜面（３８）のうちの1つの係合領域（８８）が、前記第１中間平面（Ｍ１）と鈍角（β）を形成している第２の平面に存在し、
前記鋭角および鈍角（α、β）が、第１中間平面（Ｍ１）から同じ方向に測定されることを特徴とする請求項８に記載の切削インサート（２０）。
【請求項１０】
略矩形の輪郭および２つの切削コーナー（６４）を有し、前記切削インサート（２０）に形成される貫通孔（５６）の貫通孔軸（Ｔ１）に関して１８０度で割り出し可能であることを特徴とする請求項８に記載の切削インサート（２０）。
【請求項１１】
略四角い輪郭および前記切削インサート（２０）の４つのそれぞれのコーナーに位置する４つの切削コーナー（６４）を有し、前記切削インサート（２０）に形成された貫通孔（５６）の貫通孔軸（Ｔ１）に関して９０度で割り出し可能であることを特徴とする請求項８に記載の切削インサート（２０）。
【請求項１２】
前記コーナー面（４０、４２）は、実質的に平面であり、前記第１および第２の中間平面（Ｍ１、Ｍ２）と略直角な平面に共に存在することを特徴とする請求項８に記載の切削インサート（２０）。
【請求項１３】
前記第１コーナー面（４０）と前記第１の傾斜面（３４）との間の平均距離は、切削インサート（２０）の全体幅の６０パーセント以上であることを特徴とする請求項８に記載の切削インサート（２０）。
【請求項１４】
前記側凹部（４９）は、前記切削インサート（２０）の前記底面（２４）に通じていることを特徴とする請求項８に記載の切削インサート（２０）。
【請求項１５】
前記コーナー面（４０、４２）は、前記切削インサート（２０）の最底部の部分を構成し、中央面（８６）を含む前記底面（２４）に形成された他の面に対する上面（２２）から離れる方向に突出していることを特徴とする請求項８に記載の切削インサート（２０）。
【請求項１６】
前記コーナー面（４０、４２）は、前記底面（２４）の前記中央面（８６）と同一面であることを特徴とする請求項８に記載の切削インサート（２０）。
【請求項１７】
前記コーナー面（４０、４２）は、前記切削インサート（２０）の最底部の部分を構成し、中央面（８６）を含む前記底面（２４）に形成された他の面に対する上面（２２）から離れる方向に突出していることを特徴とする請求項８に記載の切削インサート（２０）。
【請求項１８】
前記コーナー面（４０、４２）は、前記底面（２４）の前記中央面（８６）と同一面であることを特徴とする請求項８に記載の切削インサート（２０）。